(57)【要約】【課題】靴内の通気を改善し、特に水虫の発生しやすい足裏の通気を良くして、足に水虫が発生するのを防止するようにした水虫防止靴を提供する。【解決手段】靴内の足指２の周囲に相当する部位であって中底４の上面周部に沿う甲被３に該中底４の上面に対して段差のない状態で複数の通気孔５、５…が設けられ、該靴を履いた歩行中に中底４の上面と足裏６とが密着したり離間したりすることによって前記通気孔５、５…を経て靴内の空気を排出したり外部の空気を吸入したりする。【選択図】図１
2004216121.tif 000002
【特許請求の範囲】
【請求項１】
靴の爪先部とその近傍における甲被に中底の上面周部に沿って該中底の上面に段差のない状態で複数の通気孔が設けられ、該靴を履いた歩行中に前記中底の上面と足裏とが密着したり離間したりすることによって前記通気孔を経て靴内の空気を排出したり外部の空気を吸入したりすることを特徴とする水虫防止靴。
【請求項２】
前記通気孔は靴の爪先部と該爪先部の近傍の両側部において前記中底の上面周部に対して段差のない状態で複数個ずつ形成したことを特徴とする請求項１記載の水虫防止靴。
【請求項３】
前記通気孔は、円形、半円形又は楕円形等の任意形状であることを特徴とする請求項１又は２記載の水虫防止靴。
【請求項４】
前記通気孔が円形である場合の内径、前記通気孔が半円形である場合の前記中底の上面からの高さ、又は前記通気孔が楕円形である場合の前記中底の上面からの高さは、３mm前後であることを特徴とする請求項１、２又は３記載の水虫防止靴。
【請求項５】
前記中底の上面の蒸れやすい箇所に少なくとも２個の通気孔を中底側に窪んだ溝状にして面内に延長してなる通気溝を形成すると共に各通気溝を互いに連結する連結溝を形成することによって各通気孔から流入する空気が前記通気溝及び前記連結溝を経て流通するようにしたことを特徴とする請求項１、２、３又は４記載の水虫防止靴。
【発明の詳細な説明】
【技術分野】
【０００１】
本発明は、靴を長時間履いた場合でも、靴の内部、特に足指やその周囲が蒸れないように通気性をよくし、水虫を防止するようにした水虫防止靴に関する。
【背景技術】
【０００２】
従来の靴は内部の通気性が悪く、主に足裏等からの発汗で靴内が蒸れて履き心地が悪くなるうえ、悪臭が発生し、水虫が発生する原因となるものであった。
【０００３】
このため、従来から、内部が蒸れないように通気性を改善した靴が開発されている。そのような従来の技術について、以下に、特許文献を挙げて説明する。
【０００４】
まず、特許文献１に記載の発明は、図８(a)に示すように、中敷21の土踏まず相当部から踵部へ向かって次第に厚さを増した傾斜面22を有し、傾斜面22の裏面に凹部23が設けられると共に、凹部23に傾斜面22の上面に貫通する複数の通気孔24、24…が設けられた構成を有する。さらに、図８(b)に示すように、中敷21の爪先部に複数の通気孔25、25…が設けられ、凹部23と通気孔25とは溝26で連結されている。
【０００５】
上記の中敷21を靴20の中底27上に挿入することにより、凹部23が中底27の上面によって空間部28を形成し、溝26がエアチャンネル29を構成する。このような靴20を履いて歩行すると、歩行動作によって空間部28の容積が変化し、該空間部28にて圧縮或は膨張する空気はエアチャンネル29及び通気孔25を経て靴内の爪先部に空気を流通する。
【０００６】
また、特許文献２に記載の発明は、図９(a)及び(b)に示すように、液体を透過させずに気体だけを透過させる超高分子量プラスチックからなる選択透過性のある薄板材31を、靴底32に穿設した複数の通気孔33、33…を覆う大きさに形成して、靴底32と靴30の中底34との間に敷設した構成を有するものである。このような構成もまた、足の爪先部への通気性を良好にするために成されたものであり、複数の通気孔33、33…を経て靴底32からの空気を靴内に流通させるようにしている。
【０００７】
さらに、特許文献３に記載の発明は、安全靴40に関するものであり、図１０に示すように、靴底部材41に窪み状の陥没穴42を設け、該陥没穴42に多数の通気穴43、43…を設け、さらに保護鋼板44や甲部45にも多数の通気穴43、43…を設けることにより、外部の空気を安全靴40の内部に入りやすくしている。
【０００８】
【特許文献１】特開平０８−２８０４１０号公報
【特許文献２】特開平１０−２４８６０４号公報
【特許文献３】特開２００２−１７７００５号公報
【発明の開示】
【発明が解決しようとする課題】
【０００９】
ところが、特許文献１に記載の発明は、中敷21の土踏まず相当部から踵部へ向かって次第に厚さを増した傾斜面22を有するため、踵部が不必要に厚くなり、履き心地に難点が生じる。さらに、凹部23や複数の通気孔24、24…や溝26を設ける構造が複雑でコスト高になるという点に問題が生じる。
【００１０】
また、特許文献２に記載の発明は、靴底32に形成された複数の通気孔33、33…から靴内部へ空気を流通させるようにしたものであるが、靴底32が地面に接触している間において通気孔33、33…は閉塞され、また地面に接触した状態で通気孔33、33…に砂や土やゴミ等が詰まると、通気孔33、33…が無用のものになるという問題がある。
【００１１】
さらに、特許文献３に記載の発明は、安全靴40の甲部45や靴底部材41等に多数の通気穴43、43…を設けたもので、このため靴内に砂や埃が入りやすいという欠点がある。
【００１２】
本発明は、以上のような従来技術の問題点を解消するためになされたもので、靴内の通気性を改善し、特に水虫のできやすい足裏の通気を良くして、水虫の発生を防止するようにした水虫防止靴を提供することを目的とする。
【課題を解決するための手段】
【００１３】
上記の目的を達成するために、本発明の請求項１の水虫防止靴は、靴の爪先部とその近傍における甲被に中底の上面周部に沿って該中底の上面に段差のない状態で複数の通気孔が設けられ、該靴を履いた歩行中に前記中底の上面と足裏とが密着したり離間したりすることによって前記通気孔を経て靴内の空気を排出したり外部の空気を吸入したりすることを特徴とする。
【００１４】
また、本発明の請求項２の水虫防止靴は、請求項1において、前記通気孔は靴の爪先部と該爪先部の近傍の両側部において前記中底の上面周部に対して段差のない状態で複数個ずつ形成したことを特徴とする。
【００１５】
また、本発明の請求項３の水虫防止靴は、請求項1又は２において、前記通気孔は、円形、半円形又は楕円形等の任意形状であることを特徴とする。
【００１６】
また、本発明の請求項４の水虫防止靴は、請求項1、２又は３において、前記通気孔が円形である場合の内径、前記通気孔が半円形である場合の前記中底の上面からの高さ、又は前記通気孔が楕円形である場合の前記中底の上面からの高さは、３mm前後であることを特徴とする。
【００１７】
さらに、本発明の請求項５の水虫防止靴は、請求項1、２、３又は４において、前記中底の上面の蒸れやすい箇所に少なくとも２個の通気孔を中底側に窪んだ溝状にして面内に延長してなる通気溝を形成すると共に各通気溝を互いに連結する連結溝を形成することによって各通気孔から流入する空気が前記通気溝及び前記連結溝を経て流通するようにしたことを特徴とする。
【発明の効果】
【００１８】
以上説明したように、本発明の水虫防止靴は、靴内の足指の周囲における甲被であって中底の上面周部に段差のない状態で複数の通気孔を設けた構成とされているため、歩行中に、足裏が中底に密着したり離間したりすることを繰り返す動作により、その周囲の通気孔を経て靴内の空気を排出したり外部の空気を吸入したりすることができ、靴内の空気は外部の空気と効率的に交換され、靴内は新鮮に保たれることになり、水虫の防止にすこぶる有益となる。
【００１９】
また、本発明において、通気孔が靴の爪先部と該爪先部の近傍の両側部において中底の上面周部に対して段差のない状態で複数個ずつ形成されていることによって、蒸れやすく水虫にかかりやすい足指の裏やその周辺の湿気を外部へ排出し、また外部からの新鮮な空気を流入して、水虫を効率的に防止することが可能となる。
【００２０】
さらに、本発明の水虫防止靴は、甲被の所定箇所に複数の通気孔を穿設したものであるため、製造コストは極めて安価であり、甲被と中底を有する靴であればどのような靴であって適用することが可能となる。
【００２１】
また、本発明の水虫防止靴において、靴を履いた者が歩かずに静止しているときにも靴内の足の裏に空気が流通しやすくなるように、中底の上面の蒸れやすい箇所における少なくとも２個の通気孔を中底側に窪んだ溝状にして中底の上面における面内に延長してなる通気溝を形成すると共に各通気溝を互いに連結する連結溝を形成することによって各通気孔から流入する外部の空気が通気溝及び連結溝を経て流通するようにすることができる。
【００２２】
このような構成により、特に蒸れやすい箇所として足の裏の小指付近の中底の上面に上記の通気溝と連結溝との組合せを形成することによって、足裏の小指付近に水虫ができやすいという事態を防止することが可能となる。
【発明を実施するための最良の形態】
【００２３】
以下、本発明の実施例について図面を参照しながら説明する。
【実施例１】
【００２４】
本発明による水虫防止靴は、図１〜図３に示すように、靴１の爪先部とその近傍における甲被３に中底４の上面周部に沿って該中底４の上面に段差のない状態で複数の通気孔５、５…が設けられたものである。
【００２５】
このような本発明の構成を詳細に述べると、本発明の靴自体の製法は、特に限定されるべきものではなく、中底４と甲被３を有する靴であれば、あらゆる靴に適用できるものである。なお、靴の製法によっては、中底４と靴底８とが別体になったものがあり、また一体になったものもあるが、いずれにおいても、本発明は、中底４の上面を基準にして、そこから段差のない状態で複数の通気孔５、５…を形成したものである。
【００２６】
従って、図４(a)に示すように、各通気孔５、５…は中底４の上面の延長に位置して各通気孔５、５…が並列した状態となる。しかも、本実施例においては、このような通気孔５、５…が、靴内の足指２の周囲における爪先部Fと左右の両側部LS、RSにて中底４の上面周部に段差のない状態で複数個ずつ形成されるのが望ましい。
【００２７】
このような構成によって、図１又は図２に示すように、本発明の靴１を履いた状態において、足指２周辺の足裏６は中底４の上面に接触した状態にあり、この足裏６と中底４の上面との接触面の延長に通気孔５、５…が形成されていることになる。
【００２８】
このように足裏６が中底４の上面に接触しているときには、靴内の空気は流通しない。ところが、図５(a)に示すように、この靴１を履いて歩行を行っている際、足裏６が中底４の上面から離間する動作によって靴内に吸引作用が生じる。このとき、外部の空気は、靴内の足指２の周囲における爪先部Fと左右の両側部LS、RSに設けられた複数の通気孔５、５…を経て靴内に吸引され、足裏６と中底４の上面との隙間７に外部の新鮮な空気が流通することとなる。
【００２９】
また、図５(b)に示すように、靴１を踏みしめる動作に移行したとき、足裏６が中底４の上面に密着することによって、足裏６と中底４の上面との間を流通していた空気が靴１の爪先部Fと両側部LS、RSの複数の通気孔５、５…から排出される。
【００３０】
従って、本発明の靴１を履いた歩行者が、上記の動作を繰り返すことによって、靴１の爪先部Fとその両側部LS、RSの複数の通気孔５、５…を経て、空気の吸引と排出を強制的に繰り返し、靴内の空気は外部の空気と効率的に交換され、靴内は新鮮に保たれる。
【００３１】
なお、本発明において、上記の効果が得られるのは、複数の通気孔５、５…が靴１の爪先部Fとその両側部LS、RSにおいて中底４の上面周部に対して段差のない状態で形成されているからである。仮に、これらの通気孔５、５…が、従来の靴のように靴底や甲被の上部に形成されている場合には、歩行に伴う靴内の排気作用と吸気作用とを有効に利用することができず、本発明のような靴内の空気を強制的に交換する効果は得られない。
【００３２】
また、本発明の水虫防止靴において、図４(b)に示すように、各通気孔５の形状は円形５ａ、半円形５ｂ又は楕円形５ｃ等の任意形状とすることができる。そして、このような形状において、通気孔５が円形５ａである場合の内径Ｄ、通気孔５が半円形５ｂである場合の中底４の上面からの高さＨ、又は通気孔５が楕円形５ｃである場合の中底４の上面からの高さＨは、0.5 mm〜４mmが可能であるが、３mm前後とするのが好ましい。これは、発明者が実際に試行を繰り返すことによって、最適な値を選び出したもので、通気孔５から砂や埃が入りにくく、且つ上記の歩行動作によって最も効率的に靴内の空気を交換しうるものとして選定されたものである。
【実施例２】
【００３３】
上記の実施例における水虫防止靴１は、中底４の上面を基準にして、そこから段差のない状態で複数の通気孔５、５…を形成してある。このような水虫防止靴１によれば、通気孔５の付近においては空気が流通することにより、また歩行の際に中底４と足裏６との間に隙間７ができることによって通気孔５から入った外部の空気が足の裏全体にも流通して水虫を防止する効果を有するが、この靴を履いた者が歩かずに静止しているときには外部からの空気が流通し難くなる。
【００３４】
このような事態に対処して、本実施例においては、中底４の上面の蒸れやすい箇所に少なくとも２個の通気孔５を中底４側に窪んだ溝状にして面内に延長してなる通気溝９を形成すると共に各通気溝９を互いに連結する連結溝１０を形成することによって各通気孔５から流入する空気が連続的に通気溝９及び連結溝１０を経て流通するようにしている。
【００３５】
図６は、靴の中底４を上面から見た部分的平面図であり、小指側と親指側に甲部３の一部を破断した状態で図示したものである。この図においては、足の蒸れやすい場所として例えば小指１１側の足裏とし、上記の通気溝９と連結溝１０の組み合わせを足の小指１１側付近における中底４の上面に形成するようにしている。
【００３６】
即ち、上記の実施例において、足裏６の小指１１側に４個の通気孔５、５…を形成しているうち、少なくとも２個の通気孔５、５を選定する。この実施例においては、図６及び図７に示すように、足の小指１１側に並設された４個の通気孔５、５…のうち、最先端の通気孔５を半円形の通気孔として残し、その他の３個の通気孔５、５…を中底４側に窪んだ溝状にして中底４の上面における面内に延長すると共に、端部の一本（９a）だけを親指の側に延長（図６においては中底４の幅方向に跨いだ状態に）している。
【００３７】
夫々の通気溝９の長さは、図６に示すように蒸れやすい範囲内に通気溝９を延長し、各通気溝９を互いに連結する連結溝１０を形成するとよい。この連結溝１０の形成箇所及び本数は通気溝９、９…の長さによって設定するものであり、通気溝９、９…を互いに連結することによって各通気孔５から入った外部の空気の流通及び排出が可能となる。
【００３８】
このような構成によって、本実施例による水虫防止靴１を履いているだけで、各通気孔５から流入する外部の新鮮な空気が通気溝９及び連結溝１０を経て流入、流通及び排出することができ、歩行時にはさらに空気の流通を増して水虫防止効果を得ることが可能となる。
【産業上の利用可能性】
【００３９】
本発明は、布製靴、皮製靴、さらには合成樹脂製靴に適用可能であり、通常の靴に本発明を適用することができる他、特に通風状態の悪い室内等で使用される作業靴や運動靴等において、靴を長時間履いた場合でも、靴の内部、特に足指やその周囲が蒸れないように通気性をよくし、水虫を防止することができる。
【図面の簡単な説明】
【００４０】
【図１】本発明による実施例１の水虫防止靴を一側面から見た外観図である。
【図２】本発明による実施例１の水虫防止靴を他の側面から見た外観図である。
【図３】本発明による実施例１の水虫防止靴を前方から見た外観図である。
【図４】(a)は本発明による実施例１の水虫防止靴を任意の通気孔位置で裁断した状況を示す断面図であり、(b)は本発明における通気孔の態様を示す図である。
【図５】本発明による実施例１の水虫防止靴を履いて歩行をしている際の側面図であり、(a)は靴を上げた状態、(b)は靴を地面に下ろした状態を示す。
【図６】本発明による実施例２の水虫防止靴の中底の部分平面図である。
【図７】本発明による実施例２の水虫防止靴の小指側の部分側面図である。
【図８】(a)及び(b)は、従来技術において特許文献１に記載された靴の断面図と中底の底面図である。
【図９】(a)及び(b)は、従来技術において特許文献２に記載された靴の側面図と靴底の斜視図である。
【図１０】従来技術において特許文献３に記載された靴の側面図である。
【符号の説明】
【００４１】
１…水虫防止靴
２…足指
３…甲被
４…中底
５…通気孔
６…足裏
７…隙間
８…靴底
９…通気溝
１０…連結溝
１１…小指
F…靴の爪先部
LS、RS…靴の左右の両側部
【図１】
2004216121.tif 000003
【図２】
2004216121.tif 000004
【図３】
2004216121.tif 000005
【図４】
2004216121.tif 000006
【図５】
2004216121.tif 000007
【図６】
2004216121.tif 000008
【図７】
2004216121.tif 000009
【図８】
2004216121.tif 000010
【図９】
2004216121.tif 000011
【図１０】
2004216121.tif 000012